(57)【要約】【課題】特に面倒な手間をかけること無く、飾っておくことのみで室内の住環境を良くすることが可能なパネルを提供すること。【解決手段】複数本の長尺状のフレーム材を略多角形状に枠組みすることにより形成されるフレーム２と、フレーム２内に支持される、写真、絵画等を挟み込むための、透明体４および裏板３と、を具備するパネル１において、前記フレーム２の表面に、珪藻土を塗布して珪藻土層６を形成したことを特徴としており、これにより、フレーム２の表面に形成した珪藻土層６の効果により、パネルが吸放湿機能、分解、消臭効果、抗酸化作用を発揮して、室内の湿度を自動的に調節するとともに、室内に漂う化学物質や悪臭を分解、消臭し、更に、室内の活性酸素を無くするとともに化学物質や静電気などのプラスイオンを中和、除去し、室内を自然界のマイナスイオン優位の空気の雰囲気にすることができる。【選択図】図２
0003132593.tif 000002
【実用新案登録請求の範囲】
【請求項１】
複数本の長尺状のフレーム材を略多角形状に枠組みすることにより形成されるフレーム（２）と、
該フレーム（２）内に支持される、写真、絵画等を挟み込むための、透明体（３）および裏板（４）と、を具備するパネル（１）において、
少なくとも前記フレーム（２）の表面に珪藻土層（６）を形成したことを特徴とするパネル。
【請求項２】
前記珪藻土層（６）は、前記フレーム（２）にスクリーン印刷により珪藻土を塗布することにより形成したことを特徴とする請求項１に記載のパネル。
【考案の詳細な説明】
【技術分野】
【０００１】
本考案は、略四角形状に枠組みされたフレームとこのフレームの内周に支持された透明体及び裏板とを備えるパネルに係り、より詳しくは、少なくともフレームの表面に珪藻土層を形成してなることを特徴とするパネルに関する。
【背景技術】
【０００２】
従来から、写真、絵画等を壁等に飾る場合にはパネルが用いられている。即ち、このパネルは、周知の通り、長尺状のフレーム材を多角形状に枠組みして構成されたフレームと、この多角形状に枠組みされたフレーム内に支持されるとともに、写真、絵画等を挟み込んで支持することが可能な裏板および透明体を備えており、更に、フレームの裏側には、裏板をフレームに係止するための、「とんぼ」といわれる係止部材が回動自在に装着されている。
【０００３】
そして、裏板と透明体の間に写真、絵画等を挟み込むことによりパネルに写真、絵画等を支持するとともに、係止部材によって裏板をフレームに係止して、この状態でパネルを壁等に掛けることにより、写真、絵画等を所望する箇所に飾ることを可能としており、これにより、特に絵画、写真等を飾ることにより室内の装飾等を行うことも可能となる。
【考案の開示】
【考案が解決しようとする課題】
【０００４】
ところで、前述のように、従来から提供されているパネルは、絵画、写真等を飾ることにより室内の装飾等を行い室内における住環境を良くすることを主な目的としているが、室内における住環境を良くするためには絵画、写真等により室内の装飾を行うことのみでは不十分である。
【０００５】
即ち、絵画、写真等により室内を飾ることにより視覚に訴える住環境の向上は可能だが、室内における住環境を良くするためには、室内における湿度の調節、消臭、殺菌等が必要であるとともに、更に、室内をマイナスイオン優位の空気にすることが重要である。
【０００６】
そのために、従来は、室内の住環境を良くするために、絵画、写真等により室内を飾ることに加えて、除湿材、消臭剤、芳香剤あるいは空気清浄機等を室内に配置するとともに、更には観葉植物等を置くことが行われていた。
【０００７】
しかしながら、このように、室内に除湿材、消臭剤、芳香剤あるいは空気清浄機等を置いた場合にはその交換やメンテナンスが面倒であり、更に観葉植物等を置いた場合には世話が大変である。
【０００８】
また、室内に除湿材、消臭剤、芳香剤あるいは空気清浄機等を置いた場合において、これらの交換やメンテナンスを怠ってしまった場合には室内が汚れてしまい、それにより、室内に浮遊している汚れ等によってパネルが汚れてしまい、特に絵画、写真等を室内装飾の一つとして飾っている場合には、その装飾効果が落ちてしまい、本来は視覚により室内環境を良くするはずのパネルの存在が室内環境を逆に悪くしてしまうおそれも考えられる。
【０００９】
更に、除湿材、消臭剤、芳香剤、空気清浄機等の交換やメンテナンスを怠っている場合において、パネルの表面に花粉等の汚れが付着した場合には、それに起因して花粉症やアトピー性皮膚炎の症状が出るおそれが十分に考えられる。
【００１０】
そこで、本考案は、特に面倒な手間をかけること無く、飾っておくことのみで室内の住環境を良くすることが可能なパネルを提供することを課題としている。
【課題を解決するための手段】
【００１１】
従来から火に強い土として珪藻土が知られており、この珪藻土は七輪、コンロ、耐火性レンガの原料として用いられているが、この珪藻土は耐火性の他に、吸放湿機能が大きいとともに自律的に呼吸するために半永久的に調湿機能を発揮することが知られており、またその他、生活臭や有害物質を吸着、脱臭する働きがあることも知られている。
【００１２】
そこで、本考案者は、珪藻土のこの性質に着目して、珪藻土を用いたパネルを考案した。即ち、本考案のパネルは、複数本の長尺状のフレーム材を略多角形状に枠組みすることにより形成されるフレームと、該フレーム内に支持される、写真、絵画等を挟み込むための、透明体および裏板と、を具備するパネルにおいて、前記フレームの表面に珪藻土層を形成してなることを特徴としている。
【考案の効果】
【００１３】
周知の通り、珪藻土は、８００万年前の植物性プランクトン（珪藻）が化石化したものであり、その特性としては、前述のように、耐火性の他に、吸放湿効果、分解消臭効果、抗酸化作用等を有している。そのために、珪藻土層をフレームの表面に形成した本考案のパネルでは、珪藻土の分解消臭効果、抗酸化作用等により、このパネルを室内に飾ることのみで、特に除湿材、消臭剤、芳香剤あるいは空気清浄機、更には観葉植物等を室内におくことなく、室内における住環境を良くする効果を発揮できる。
【考案を実施するための最良の形態】
【００１４】
本考案のパネルでは、長尺状のフレーム材を多角形状に枠組みすることによってフレームが形成されるとともに、このフレーム内には透明体及び裏板が支持され、この透明体及び裏板間に、写真、絵画等を挟み込むことを可能としている。そして、前記フレームの表面には珪藻土層を形成してなる。
【００１５】
ここで、前記珪藻土層の形成方法は特に限定されないが、例えばフレーム表面にスクリーン印刷の手法によって珪藻土を塗布するとよく、これによれば、大掛かりな工事等を必要とせずに、手軽に珪藻土層を形成することができる。
【実施例１】
【００１６】
本考案のパネルの実施例について図面を参照して説明すると、図１は、本実施例のパネルの正面図であり、また図２は図１におけるＡ−Ａ線断面構造を拡大して示した図であり、図において１が本実施例のパネルである。また、図１において５は、パネル１に挿装した絵画等である。
【００１７】
そして、本実施例のパネル１は、図に示すように、全体として略四角形状としている。即ち、本実施例のパネル１では、４本の長尺状のフレーム材を略四角形状に枠組みすることによりフレーム２が形成されており、このフレーム２内に、裏板４および透明体３が支持され、この裏板４と透明体３間に写真、絵画等５を挟み込むとともに、前記フレーム２に回動自在に装着した係止部材８によって裏板４を係止することにより、パネル１に写真、絵画等５を装着可能としている。
【００１８】
ここで、図２において、前記フレーム２には、その裏面において、内周側全域に亘って載置部２０１が形成されており、この載置部２０１上に、透明体３および裏板４の周縁部を載置可能としている。
【００１９】
そして、前記載置部２０１上に透明体３の周縁部を載置するとともに、この透明体３に重ね合わせるような配置で、裏板４の周縁部を前記載置部２０１上に載置して、更に、裏板４をとんぼ等の係止部材８でフレーム２に係止して、これによりフレーム２内に裏板４および透明体３を支持可能としている。そして、使用に際しては、透明体３と裏板４間に写真、絵画等５を挟み込むことを可能としている。
【００２０】
次に、図２において６は珪藻土層である。即ち、本実施例におけるパネル１では、前記フレーム２の表面側全域に珪素度層６を形成し、これにより、この珪藻土層６より、パネル１に室内における住環境を良くする効果を持たせている。
【００２１】
即ち、珪藻土は吸、放湿機能が大きいとともに自律的に呼吸するために半永久的に調湿機能を発揮することができる。そのために、この珪藻土層を備えた本実施例のパネルでは、室内の余分な湿気を吸収し、室内の湿度を自動的に調節することができる。
【００２２】
また、珪藻土には分解、消臭効果があり、化学物質や悪臭物質を分解することができるために、この珪藻土層を備えた本実施例のパネルでは、室内に漂う化学物質や悪臭を分解、消臭するとともに、備長炭等の機能である「吸着消臭」と異なり「分解消臭」であるために永久的に効果を持続することができる。
【００２３】
更に、珪藻土は抗酸化作用を有しており、周囲の湿気を「高い抗酸化作用を持つ湿気」に変えて老化や病気の元である活性酸素をほとんど無くし、更に化学物質や静電気などのプラスイオンを中和、除去し、その結果、人や犬、猫などのペット、植物の健康にとって欠かせない「自然界のマイナスイオン優位の空気」を作り出し、このマイナスイオン優位の空気は、免疫力の向上、生体機能の正常化、リラックス効果などをもたらす。そのために、フレーム２の表面に珪藻土層６を形成した本実施例のパネル１では、これを室内に飾っておくことのみで、室内を自然界のマイナスイオン優位の空気の雰囲気にすることができる。
【００２４】
このように、本実施例のパネル１では、フレーム２の表面に珪藻土層６を形成しているために、この珪藻土層６の作用により、特に除湿材、消臭剤、芳香剤あるいは空気清浄機、更には観葉植物等を室内に置いておくことなく、パネル１を室内に飾っておくことのみで室内の住環境を向上させることができるという効果がある。
【００２５】
なお、前記珪藻土層６の形成方法は特に限定されず、スクリーン印刷やコーター印刷によってフレーム２の表面に珪藻土を塗布し、これによりフレーム２の表面に珪藻土層６を形成するとよい。
【産業上の利用可能性】
【００２６】
本考案のパネルでは、フレームの表面に珪藻土を塗布して珪藻土層を形成しており、これにより、パネルを室内に飾っておくのみで、室内における住環境を良くすることができるために、とんぼ等の係止手段によって裏板をフレームに係止する、いわゆる一般的なパネルの他に、フレーム自体を回動して写真、絵画等を収納可能なフロントオープン式のパネル等、室内等に飾るパネルの全般に適用可能である。
【図面の簡単な説明】
【００２７】
【図１】本考案のパネルの実施例の正面を示す断面図である。
【図２】図１におけるＡ−Ａ線断面図である。
【符号の説明】
【００２８】
１    パネル
２    フレーム
３    裏板
４    透明体
５    絵画等
６    珪藻土層
８    係止部材
【図１】
0003132593.tif 000003
【図２】
0003132593.tif 000004